(57)【要約】【課題】宅内で互いに離れた場所に設置されたテレビとレコーダの間で、レコーダ本体のある場所での操作性と、遠隔からレコーダを操作する場合の操作性が異なり、使いにくいという課題があった。【解決手段】レコーダのＧＵＩ画面を本体で表示する場合と遠隔で表示する場合で同一のものとし、必要に応じて遠隔のテレビの機能を利用可能とする。これにより、本体で操作する場合と遠隔から操作する場合で操作性を統一でき、ユーザの使い勝手が向上する。【選択図】図２
2009194503.tif 000002
【特許請求の範囲】
【請求項１】
ネットワークを介して録画機とテレビが接続される画像表示システムであって、
前記録画機は、ユーザが操作するための操作画面を保持または生成して提供する操作画面提供部と、前記操作画面提供部より提供される前記操作画面を表示する第１の画面表示部とを備え、
前記テレビは、前記操作画面提供部より提供される前記操作画面を前記ネットワークを介して取得する画面取得部と、前記画面取得部で取得した前記操作画面を表示する第２の画面表示部とを備え、
前記操作画面提供部は、前記第１の画面表示部と前記第２の画面表示部とに対して共通の前記操作画面を提供することを特徴とする画面表示システム。
【請求項２】
前記テレビは、チューナーとチューナー判別部とをさらに備え、
前記操作画面提供部は、前記操作画面として、番組を選択するための番組表画面を提供可能であり、
前記チューナー判別部は、前記操作画面提供部から提供され前記第２の画面表示部に表示された前記番組表画面で選択された番組が、前記チューナーで受信可能かどうかを判別し、
前記チューナー判別部が受信可能と判別した場合は、前記第２の画面表示部が前記チューナーで受信した番組画面を表示し、
前記チューナー判別部が受信不可能と判別した場合は、前記画面取得部が前記録画機に対して前記録画機で受信した番組画面の送信要求を行い、前記送信要求に応じて前記録画機から送信されてきた番組画面を、前記第２の画面表示部が表示することを特徴とする、請求項１に記載の画面表示システム。
【請求項３】
前記録画機は、前記録画機が受信した番組画面を記録する記録部をさらに備え、
前記録画機は、前記送信要求を受信すると、前記送信要求された番組画面を前記記録部に記録した後、前記テレビへ送信することを特徴とする、請求項２に記載の画面表示システム。
【発明の詳細な説明】
【技術分野】
【０００１】
本発明は、テレビ及びテレビにネットワークを介して接続されている機器に関するものであり、特にテレビとＩＰネットワークを介して接続されたＤＶＤレコーダ、ＢＤレコーダ、パソコンなどの機器から構成されるシステムに関する。
【背景技術】
【０００２】
テレビやレコーダを始めとするＡＶ機器のデジタル化やネットワーク化が進展し、宅内に敷設されたイーサネット（登録商標）ケーブルや光ケーブルなどの有線あるいは無線を介して、離れた場所に設置されている機器間における遠隔操作が可能となってきている。特許文献１では遠隔機器を操作するリモコンのパネルを模した画面をテレビに表示することで、手元のテレビから離れた場所にあるレコーダを操作可能としている。
【０００３】
また、機器間のリンク機能として、テレビとレコーダをＨＤＭＩ（Ｈｉｇｈ  Ｄｅｆｉｎｉｔｉｏｎ  Ｍｕｌｔｉｍｅｄｉａ Ｉｎｔｅｒｆａｃｅ）ケーブルで接続し、ＣＥＣ（Ｃｏｎｓｕｍｅｒ  Ｅｌｅｃｔｒｏｎｉｃｓ  Ｃｏｎｔｒｏｌ）の信号を利用して相互に通信することで、テレビのリモコンでレコーダを操作可能とする技術が知られている。
【特許文献１】特開２０００−３５０２７０号公報
【発明の開示】
【発明が解決しようとする課題】
【０００４】
しかしながら、特許文献１の方法では、レコーダの傍で操作する場合はリモコンボタンでの操作であり、遠隔のテレビから操作する場合はテレビのリモコンを用いて画面上のリモコンパネルのボタンを操作することになる。また、ＨＤＭＩ接続によるリンク機能は宅内の部屋間など遠隔地点間には適用できない。このため、同じレコーダを操作する場合であっても、レコーダの傍で操作する場合と遠隔から操作する場合で操作性が異なり、ユーザにとって使い勝手が良くないという課題が存在した。
【課題を解決するための手段】
【０００５】
上記課題を解決するために本発明の画面表示システムは、ネットワークを介して録画機とテレビが接続される画像表示システムであって、前記録画機は、ユーザが操作するための操作画面を保持または生成して提供する操作画面提供部と、前記操作画面提供部より提供される前記操作画面を表示する第１の画面表示部とを備え、前記テレビは、前記操作画面提供部より提供される前記操作画面を前記ネットワークを介して取得する画面取得部と、前記画面取得部で取得した前記操作画面を表示する第２の画面表示部とを備え、前記操作画面提供部は、前記第１の画面表示部と前記第２の画面表示部に対して共通の前記操作画面を提供することを特徴とするものである。
【０００６】
また、前記テレビは、チューナーとチューナー判別部とをさらに備え、前記操作画面提供部は、前記操作画面として、番組を選択するための番組表画面を提供可能であり、前記チューナー判別部は、前記操作画面提供部から提供され前記第２の画面表示部に表示された前記番組表画面で選択された番組が、前記チューナーで受信可能かどうかを判別し、前記チューナー判別部が受信可能と判別した場合は、前記第２の画面表示部が前記チューナーで受信した番組画面を表示し、前記チューナー判別部が受信不可能と判別した場合は、前記画面取得部が前記録画機に対して前記録画機で受信した番組画面の送信要求を行い、前記送信要求に応じて前記録画機から送信されてきた番組画面を、前記第２の画面表示部が表示することを特徴とするものである。
【０００７】
また、前記録画機は、前記録画機が受信した番組画面を記録する記録部をさらに備え、
前記録画機は、前記送信要求を受信すると、前記送信要求された番組画面を前記記録部に記録した後、前記テレビへ送信することを特徴とするものである。
【発明の効果】
【０００８】
本発明によれば、録画機に対して傍から操作する場合も遠隔のテレビから操作する場合も同じ画面を提供することで、操作性を統一でき、ユーザの使い勝手が向上する。
【０００９】
また、テレビにおいて録画機と同じ番組受信機能が利用できる場合は、テレビの番組受信機能を利用することにより、ネットワークトラフィック及び録画機の処理負荷の低減が図れる。
【００１０】
また、録画機の番組受信機能を利用する際に、その状況に応じた制御を行うことでユーザの待ち時間が低減され、使い勝手がさらに向上する。
【発明を実施するための最良の形態】
【００１１】
本発明の実施の形態について、図面を参照しながら説明する。
【００１２】
図１は、本発明における接続形態の一例を示す図である。テレビ１とレコーダ２とテレビ３は、宅内に敷設されたＥｔｈｅｒｎｅｔ（登録商標）ケーブルに接続されており、ＩＰネットワークを利用して相互に通信可能となっている。さらにテレビ１とレコーダ２はＨＤＭＩケーブルで接続されており、ＣＥＣ（Ｃｏｎｓｕｍｅｒ  Ｅｌｅｃｔｒｏｎｉｃｓ  Ｃｏｎｔｒｏｌ）の信号を利用して相互に通信可能となっている。
【００１３】
説明をわかりやすくするため、宅内での機器の設置状況は、例えば、１階リビングにテレビ１とレコーダ２が設置されており、２階寝室にテレビ３が設置されているものとする。なお、宅内において１階リビングと２階寝室は離れた場所であり、一方の部屋から他方の部屋の機器に対しては電波あるいは赤外線が届かないため、リモコンによる直接操作はできない。
【００１４】
（実施の形態１）
図２は、本発明の実施の形態１におけるシステム構成を示すブロック図である。
【００１５】
レコーダ２０は図１におけるレコーダ２に相当するものであり、テレビ３０はテレビ３に相当するものであり、レコーダ２０とテレビ３０はＩＰネットワークで接続されている。なお、レコーダ２０はＨＤＭＩを介して図１におけるテレビ１に相当する図示しないテレビと接続されている。
【００１６】
まず、レコーダ２０の構成と動作について説明する。
【００１７】
レコーダ２０は、録画一覧機能、番組表機能、予約一覧機能を備え、各機能に応じたＧＵＩ（Ｇｒａｐｈｉｃａｌ  Ｕｓｅｒ Ｉｎｔｅｒｆａｃｅ）を提供する。各ＧＵＩを描画するためのプログラムは、それぞれ録画一覧ＧＵＩ２１４、番組表ＧＵＩ２１５、予約一覧ＧＵＩ２１６であり、保存部２０６に記録されている。ここで、保存部２０６はハードディスクや半導体メモリなどの不揮発性の記憶領域である。
【００１８】
各機能が呼び出されると、画面提供部２０１が保存部２０６より該当するプログラムを読み出し、画面表示部２０２に引き渡す。画面表示部２０２は、画面提供部２０１から受け取ったプログラムを処理し、ＨＤＭＩを介して接続されている図示しないテレビへＧＵＩ画面を出力する。
【００１９】
また、画面表示部２０２は、各ＧＵＩにおける画面のスクロールやページ更新などで必要となる情報を画面提供部２０１へ要求する。画面提供部２０１は受け取った要求に応じて、録画一覧処理部２１１、番組表処理部２１２、予約一覧処理部２１３へ処理を振り分ける。
【００２０】
このとき、録画一覧処理部２１１は受け取った要求に応じてコンテンツ管理部２０７へ情報取得要求を発行し、コンテンツ管理部２０７はレコーダ２０内に記録されている録画済コンテンツの情報を取得して録画一覧処理部２１１へ応答を返す。録画一覧処理部２１１から画面表示部２０２で動作している再生ナビＧＵＩプログラムに応答が返されることにより、一連の要求処理が完了する。
【００２１】
同様に、番組表処理部２１２は受け取った要求に応じて番組表管理部２０８へ情報取得要求を発行し、番組表管理部２０８はレコーダ２０内に記録されているＥＰＧ（Ｅｌｅｃｔｒｉｃ  Ｐｒｏｇｒａｍ  Ｇｕｉｄｅ）情報などの番組情報を取得して番組表処理部２１２へ応答を返す。番組表処理部２１２から画面表示部２０２で動作している番組表ＧＵＩプログラムに応答が返されることにより、一連の要求処理が完了する。
【００２２】
さらに同様に、予約一覧処理部２１３は受け取った要求に応じて予約管理部２０９へ情報取得要求を発行し、予約管理部２０９はレコーダ２０内に記録されている番組予約情報を取得して予約一覧処理部２１３へ応答を返す。予約一覧処理部２１３から画面表示部２０２で動作している予約一覧ＧＵＩプログラムに応答が返されることにより、一連の要求処理が完了する。
【００２３】
以上の動作により、図１における１階リビングのテレビとレコーダの構成で、レコーダ単体の各機能のＧＵＩ表示が実現される。
【００２４】
次に、テレビ３０の構成と動作を説明するとともにレコーダ２０も含めたシステム全体の動作を説明する。
【００２５】
テレビ３０は、レコーダ２０とＩＰネットワークを介して接続されている。テレビ３０のメニューにおいてレコーダ２０の機能の操作が選択されると、画面取得部３０１はＩＰネットワークを介してレコーダ２０の画面提供部２０１へ該当する機能のＧＵＩプログラムを要求する。画面提供部２０１は保存部２０６に記録されているＧＵＩプログラムから該当するものを画面取得部３０１へ送信する。画面取得部３０１は受信したＧＵＩプログラムを画面表示部３０２へ引き渡す。画面表示部３０２は画面取得部３０１から受け取ったプログラムを処理し、テレビ３０の画面に表示する。画面表示部３０２は画面表示部２０２と同様の動作を行う。すなわち、各ＧＵＩにおける画面のスクロールやページ更新などで必要となる情報を画面提供部２０１へ要求する。画面提供部２０１は画面表示部２０２からの要求と同様の処理を行い、応答を画面表示部３０２へ返す。
【００２６】
以上の動作により、図１における１階リビングのレコーダと２階寝室のテレビの構成で、レコーダの各機能のＧＵＩを遠隔場所にあるテレビで表示し、操作が可能となる。
【００２７】
したがって、ユーザは１階リビングでレコーダ２の画面をテレビ１で操作するのと同じ画面や操作性で、２階寝室のテレビ３から１階リビングのレコーダ２を操作することができるようになり、ユーザの使い勝手が向上する。
【００２８】
なお、録画一覧ＧＵＩ２１４、番組表ＧＵＩ２１５、予約一覧ＧＵＩ２１６はＪａｖａ（登録商標）ｓｃｒｉｐｔやＨＴＭＬ（Ｈｙｐｅｒ  Ｔｅｘｔ  Ｍａｒｋｕｐ  Ｌａｎｇｕａｇｅ）などの人が可読なプログラム言語で作成されていても良いし、Ｃ言語等で作成されたコードがコンパイルされた不可読なバイナリーのプログラムであってもよい。また、これらのプログラムを読み込み、処理して画面を表示する画面表示部３０２及び画面表示部２０２は、Ｊａｖａ（登録商標）ｓｃｒｉｐｔやＨＴＭＬに対応したブラウザや処理エンジンや専用アプリケーションであっても良いし、Ｃ言語のバイナリープログラムに対応した専用アプリケーションであっても良い。また、画面提供部２０１と画面取得部３０１あるいは画面表示部３０２との間の通信はＨＴＴＰ（Ｈｙｐｅｒｔｅｘｔ  Ｔｒａｎｓｆｅｒ  Ｐｒｏｔｏｃｏｌ）形式が望ましいが、これに限定するものではない。ＨＴＴＰ形式で通信する場合は、画面提供部２０１がＨＴＴＰサーバ機能を有している。
【００２９】
（実施の形態２）
図３は、本発明の実施の形態２におけるシステム構成を示すブロック図である。
【００３０】
以下、図面を用いながら、番組表操作の一例をあげて、実施の形態２における動作を説明する。
【００３１】
テレビ３１とレコーダ２１は、それぞれ、図１におけるテレビ３とレコーダ２に相当するものである。すなわち、テレビ３１は２階寝室に設置されており、レコーダ２１は１階リビングに設置されている。なお、図３において、図２と同番号のブロックは実施の形態１と同内容であるので、異なる動作の部分を除いて説明を省略する。
【００３２】
テレビ３１からレコーダ２１の番組表機能を利用する場合、実施の形態１で示したように、番組表ＧＵＩ２１５が画面表示部３０２に読み込まれ、番組表ＧＵＩにより生成された番組表画面がテレビ３１の画面に表示され、ユーザが操作可能となる。
【００３３】
図４は本発明の番組表画面の一例を示すイメージ図である。
【００３４】
画面横方向にチャンネル、画面縦方向に時間帯が定められ、各番組のタイトルが表示される。ユーザはテレビ３１に付属のリモコンなどを用いて画面のスクロールを行うことで表示するチャンネルや時間帯の変更を行うことができる。画面表示部３０２はスクロールするごとに画面提供部２０１へ新たな画面を生成するため、あるいは、キャッシュとして必要となる番組情報の取得要求を発行する。画面提供部２０１は番組表管理部２０８から必要な情報を抽出して画面表示部３０２へ番組情報を送信する。なお、画面表部３０２から画面提供部２０１への番組情報取得要求は、スクロール時以外であっても良く、所定のスクロール量に該当する範囲の番組情報を予め取得しておき、画面表示部３０２内の図示しないメモリに蓄えておいても良い。
【００３５】
ユーザは興味のあるタイトルを選択することで、選択した番組に関する番組詳細情報を見ることができる。
【００３６】
図５は、本発明の番組詳細情報画面の一例を示すイメージ図である。
【００３７】
番組のタイトル、チャンネル、放送日時、番組内容の表示を行うとともに、現在放送中の番組の場合、すぐに視聴を開始できる「視聴する」ボタン５１が配置される。ユーザがこのボタンを選択すると、放送画面に切り替わる。
【００３８】
このときの動作を図３及び図６を用いて説明する。
【００３９】
図６は本発明の実施の形態２における番組視聴選択処理を示すフロー図である。
【００４０】
レコーダ２１から送信された番組表データ（Ｓ６２１）を用いてテレビ３１が番組表を表示した状態（Ｓ６３１）で、ユーザが番組表から番組を選択すると（Ｓ６３２）、画面表示部３０２は番組詳細情報を表示する（Ｓ６３３）とともに、選択された番組がテレビ３１に搭載されているチューナーで視聴可能かどうかをチューナー判別部３０３に対して問い合わせる（Ｓ６３４）。チューナー判別部３０３は、チューナー３０４の情報を参照して、視聴可否を画面表示部３０２に応答する。選択された番組が視聴可能な場合は、ユーザが「視聴する」ボタンを選択した時点（Ｓ６４１）で画面表示部３０２はチューナー３０４から出力される映像を画面に表示する（Ｓ６４２）。選択された番組が視聴不可能な場合は、チューナー判別部３０３から応答が返ってきた時点で画面表示部３０２がレコーダ２１の画面提供部２０１に対して選択番組をＩＰネットワーク経由でストリーミング出力できるよう準備を依頼し（Ｓ６３５）、ストリームクライアント３０５に受信要求を発行する。画面提供部２０１はストリーミング出力要求を番組表処理部２１２、番組表管理部２０８を介して制御部２０３へ発行する。このとき、番組表管理部２０８は指定された番組をレコーダ２１からテレビ３１へストリーム伝送する際にコンテンツが一意に指定可能な識別子を指定する（Ｓ６２２）。制御部２０３は選択された番組をこの識別子を用いてハードディスクあるいはメモリなどの記録媒体である記録部２０４へ記録開始し、コンテンツを生成する（Ｓ６２３）。
【００４１】
ストリームクライアント３０５は、画面表示部３０２からのストリーム受信要求を受けると、ストリームサーバ２０５に対して指定されたコンテンツの送信を要求する（Ｓ６３７）。このとき、番組表管理部２０８と同じ方法でコンテンツが一意に指定可能な識別子を生成（Ｓ６３６）して送信要求を発行する。ストリームサーバ２０５はこの送信要求を受けて、記録部２０４から該当コンテンツを抽出し、ＩＰネットワーク経由でストリームクライアント３０５にデータを送信する（Ｓ６２４）。ストリームクライアント３０５はストリームサーバ２０５から送信されたストリームデータを受信し、図示しないバッファに一時的に蓄積する（Ｓ６３８）。バッファは所定の範囲の領域に受信したストリームデータが繰り返し上書きされていくリングバッファとして構成されており、画面表示部３０２から出画要求を受けるまではバッファからストリームデータは読み出されない。ユーザが「視聴する」ボタンを選択すると（Ｓ６３９）、画面表示部３０２はストリームクライアント３０５で受信したデータをバッファから読み出してデコードし、テレビ３１の画面に表示する（Ｓ６４０）。
【００４２】
なお、ユーザが「視聴する」を選択しなかった場合は、画面表示部３０２が画面提供部２０１へストリームキャンセル依頼を発行することで、番組処理部２１２及び番組表管理部２０８を介して制御部２０３が記録部２０４に記録されたコンテンツを削除する。また同時に、画面表示部３０２はストリームクライアント３０５へストリーム受信キャンセル要求を発行し、ストリームクライアント３０５がストリームの受信を中止し、バッファをクリアする。
【００４３】
また、上記の説明ではコンテンツを一意に特定するための識別子をＳ６２２及びＳ６３６で生成したが、ストリーム準備依頼Ｓ６３５の時点で識別子を生成し、その識別子とともにレコーダ２１へ依頼を発行し、コンテンツの要求時にはその識別子とともにストリーム要求Ｓ６３７を発行するようにしても良い。
【００４４】
以上の動作により、テレビ３１とレコーダ２１のチューナー性能が異なり、テレビ３１で視聴できない番組が選択された場合であっても、レコーダ２１からテレビ３１へ伝送することにより視聴可能となる。また、レコーダ２１で受信した放送をＩＰネットワークへ直接再送信できない場合であっても、記録部２０４へ一旦記録することで、録画コンテンツとしてテレビ３１での視聴が可能となり、ユーザの利便性が向上する。
【００４５】
また、番組詳細情報画面が表示された時点でストリーム準備依頼を発行することで、ユーザが「視聴する」ボタンを選択する前にストリーミングが可能となり、バッファにデータを蓄積可能であるため、「視聴する」ボタンの選択後すぐに出画が可能となり、ユーザの待ち時間を低減することができる。
【産業上の利用可能性】
【００４６】
本発明は、テレビ、レコーダなどのＡＶ機器がネットワークで接続された構成における操作性の向上に有用である。
【図面の簡単な説明】
【００４７】
【図１】本発明における接続形態の一例を示す図
【図２】本発明の実施の形態１におけるシステム構成を示すブロック図
【図３】本発明の実施の形態２におけるシステム構成を示すブロック図
【図４】本発明の番組表画面の一例を示すイメージ図
【図５】本発明の番組詳細情報画面の一例を示すイメージ図
【図６】本発明の実施の形態２における番組視聴選択処理を示すフロー図
【符号の説明】
【００４８】
１  テレビ
２  レコーダ
３  テレビ
２０、２１  レコーダ
３０、３１  テレビ
２０１  画面提供部
２０２  画面表示部
２０３  制御部
２０４  記録部
２０５  ストリームサーバ
２０６  保存部
２０７  コンテンツ管理部
２０８  番組表管理部
２０９  予約管理部
３０１  画面取得部
３０２  画面表示部
３０３  チューナー判別部
３０４  チューナー
３０５  ストリームクライアント
【図１】
2009194503.tif 000003
【図２】
2009194503.tif 000004
【図３】
2009194503.tif 000005
【図４】
2009194503.tif 000006
【図５】
2009194503.tif 000007
【図６】
2009194503.tif 000008